(57)【要約】【課題】乗っている子供や物が投げ出されること及び転倒を防止することにより安全に滑走できるそりを提供する。【解決手段】そり１は、底部、前面部３、後面部４、側面部５、５とから収容部６を形成した構成となっている。後面部４及び後方部位５Ｂは前面部３及び前方部位５Ａより高くなるように形成してあり、後方部位５Ｂは後面部４に向かうに従って高くなっていくように傾斜面に形成してある。前面部３の上端から突出するように張り出し縁部７が形成してあり、張り出し縁部７には牽引紐前側固定部８が形成してある。底部の下側面は滑走面となっており、誘導溝９が設けてある。底部の後端から後面部に続く角部を後方に突出するようにして転倒防止部１０が形成してある。側面部５に牽引紐後側固定部１１が穿設してあり、牽引紐１２を通して内側から引っ掛けて、そり１を牽引することができる。【選択図】図２
0003132579.tif 000002
【実用新案登録請求の範囲】
【請求項１】
滑走面に前後方向に沿って誘導溝が形成してある底部と、該底部から湾曲状に起立する前面部と、前記底部の後端から起立する後面部と、該後面部から前面部にかけて前記底部の両側縁から起立する側面部と、前記前面部に設けた牽引紐前側固定部とからなるそりにおいて、該側面部の後方部位及び前記後面部を側面部の前方部位及び前面部より高く設定し、前記側面部に牽引紐後側固定部を設けてあることを特徴とするそり。
【請求項２】
前記側面部は、前記後方部位を前記後面部にかけて順次高くなるように傾斜させてあることを特徴とする請求項1記載のそり。
【請求項３】
前記底部の後端から前記後面部に続く角部を後方に突出させることにより転倒防止部を形成してあることを特徴とする請求項1記載のそり。
【請求項４】
前記牽引紐後側固定部は、前記側面部の略中央に設けてあることを特徴とする請求項1記載のそり。
【考案の詳細な説明】
【技術分野】
【０００１】
本考案は、乗っている子供や物が投げ出されること及び転倒を防止することにより安全に滑走できるようにしたそりに関する。
【背景技術】
【０００２】
降雪寒冷地においては冬場に、子供の遊び道具や荷物の運搬のための道具としてそりを用いることは日常よく行われている。
【考案の開示】
【考案が解決しようとする課題】
【０００３】
通常、そりは前部分に紐を結び付けて、その紐を引っ張ることにより牽引している。そして、そりを引っ張るとそりに乗っているものには慣性力が働き進行方向とは逆方向に付勢されるため、止まっている状態のそりを動かそうとして引っ張ると、そりに乗っている人や物は進行方向とは逆方向である後ろ方向にそりから放り出される場合がある。また、そりで進んでいる最中に急に進行方向を変えると、その曲がった方向とは逆方向に付勢されてそりの外へ投げ出されるおそれがある。乗っているものが小さい子供や軽い荷物である場合はそのおそれはいっそう強いものとなる。
【０００４】
また、上述のようにそりは先端に紐を結び付けて、その紐をつかんで引っ張るのが通常である。大人が引っ張る場合、その引っ張る方向は手の高さからして斜め上方であり、引っ張る方向と引っ張る力の加減によっては紐が結び付けてあるそりの先端が大きく持ち上げられる場合がある。そりの先端が持ち上げられるとそりは斜めに傾くため、そりに乗っている者や物が後方に投げ出されることになる。小さな子供がそりに乗っている場合、後方に頭から転倒することとなり大変危険である。また、荷物を載せている場合は、荷物がそりの外に投げ出されて破損してしまうこともある。
【０００５】
本考案は上述した従来技術の欠点に鑑みなされたもので、乗っている子供や物が投げ出されること及び転倒を防止することにより安全に滑走することができるそりを提供することを目的とする。
【課題を解決するための手段】
【０００６】
上記課題を解決するために構成した本考案の手段は、滑走面に前後方向に沿って誘導溝が形成してある底部と、該底部から湾曲状に起立する前面部と、前記底部の後端から起立する後面部と、該後面部から前面部にかけて前記底部の両側縁から起立する側面部と、前記前面部に設けた牽引紐前側固定部とからなるそりにおいて、該側面部の後方部位及び前記後面部を側面部の前方部位及び前面部より高く設定し、前記側面部に牽引紐後側固定部を設けたことにある。
【０００７】
そして、前記側面部は、前記後方部位を前記後面部にかけて順次高くなるように傾斜させるとよい。
【０００８】
また、前記底部の後端から前記後面部に続く角部を後方に突出させることにより、転倒防止部を形成するとよい。
【０００９】
さらに、前記牽引紐後側固定部は、前記側面部の略中央に設けるとよい。
【考案の効果】
【００１０】
本考案は、上述の構成とすることにより以下の諸効果を奏する。
（１）そりの側面部の後方部位及び後面部を側面部の前方部位及び前面部より高く形成してあるから、そりに乗っている子供や物が急な発進や方向転換で後方又は左右方向に付勢されてもそりの外に放り出されることがない。
（２）牽引紐後側固定部はそりの側面部に設けてあるから、紐でそりを引っ張ってもそりの前部分が持ち上げられることがなく、そりが後方向にひっくり返ることがない。
（３）そりの底部の後端から後面部に続く角部を後方に突出させることにより転倒防止部を形成してあるから、紐を引っ張ることによりそりの前部分が持ち上げられるのを防止し、そりに乗っている子供や物が後方へ投げ出されることを防止することができる。
（４）牽引紐後側固定部はそりの側面部の略中央に設けてあるから、紐でそりを引っ張ってもそりの前部分が持ち上げられることがなく、そりがひっくり返ることをより確実に防止することができ、さらに左右への方向転換の操作性も損なわれることがない。
【考案を実施するための最良の形態】
【００１１】
以下、本考案の実施の形態を図面に基き説明する。図において、１はそりを示す。該そり１は、プラスチック等の合成樹脂製であり、前端の幅に比べ後端の幅がわずかに広い平面縦長の台形状に形成してある底部２と、該底部２の前端２Ａから前方斜め上方に起立した前面部３と、底部２の後端２Ｂから僅かに後方斜め上方に起立した後面部４と、底部２の左右側端２Ｃ、２Ｃから略垂直に起立した側面部５、５とから縦断面及び横断面が共に略凹状の収容部６を形成した構成からなっている。そして、該前面部３及び該側面部５の略中央から前方の前方部位５Ａの高さに対して、該後面部４及び該側面部５の略中央から後方の後方部位５Ｂは高くなるように形成してあり、該後方部位５Ｂは後面部４に向かうに従って高くなっていくように滑らかな傾斜面に形成してある。また、前記前面部３の上端から前方向水平に突出するように張り出し縁部７が形成してあり、該張り出し縁部７には横方向に離間して一対の牽引紐前側固定部８、８が形成してある。
【００１２】
前記底部２の下側面は雪面と接する滑走面２Ｄとなっており、該滑走面２Ｄには縦方向に沿って平行に２本の冂状の誘導溝９、９が設けてある。該誘導溝９は前記前面部３及び後面部４に突き抜けるように設けてあり、該誘導溝９の外縁９Ａはそり１の前端から後端に向かうに従い誘導溝９の幅が広くなるように外向き斜めに形成してある。
【００１３】
１０は底部２の後端２Ｂから後面部４に続く角部を後方に突出するようにして設けた転倒防止部を示す。該転倒防止部１０は、横幅が一対の誘導溝９、９間の幅と同じである略長方形の突起状に形成してあり、該転倒防止部１０の底面１０Ａは前記滑走面２Ｄと同一面に形成してある。
【００１４】
１１、１１は牽引紐後側固定部を示す。該牽引紐後側固定部１１は側面部５の幅方向略中央の位置に穿設した孔からなっており、該牽引紐後側固定部１１に牽引紐１２を通して端を結んで団子状にし、内側から引っ掛けて、該牽引紐１２を引っ張ることによりそり１を牽引することができるようにするものである。
【００１５】
本実施の形態は上述の構成からなっており、次にその作用について説明する。図５に示すように、そり１の収容部６に子供Ａを乗せて大人Ｂが牽引紐１２を引っ張る場合、特に停止状態からそりが滑り出す場合には、慣性力によって子供Ａは引っ張られるように後方へ付勢される。しかし、後面部４が前面部３よりも高く形成してあって背もたれの役目を果たすから、子供Ａがそりの後方から外へ放り出されることを防ぐことができる。また、そりが滑走している最中に左右方向への急な方向転換を行った場合、子供Ａは曲がる方向とは逆方向に引っ張られるように付勢されるが、側面部５が後面部４と同じように前面部３より高く形成してあるから、子供Ａが横からそりの外へ放り出されることを防ぐことができる。
【００１６】
大人Ｂがそり１を牽引紐１２で引っ張る場合、大人Ｂの手の位置はそり１よりはるかに高いため、そり１を前方斜め上方に引っ張ってしまうことがある。したがって、牽引紐前側固定部８がそりの前部分に設けてある従来のそりの場合、力の方向と力加減によってはそりの前部分が大きく持ち上げられ、そりがひっくり返るおそれがある。しかし、底部２の後端２Ｂから後方に突出するように転倒防止部１０が設けてあるから、牽引紐１２を斜め上方に引っ張ってそり１の前部分が持ち上げられそうになっても該転倒防止部１０が路面に踏ん張ることによって、そり１が後方にひっくり返る事態を防止することができる。なお、該転倒防止部１０の後方への突出幅が大きければ大きいほど、よりそりの転倒を防止することができる。
【００１７】
また、図６及び図７に示すように、転倒防止部１０は誘導溝９、９の間だけでなく、各誘導溝９の外側にも夫々設けてもよい。このように転倒防止部１０、１０、１０を設けることにより、そりの前部分側が持ち上げられて、そりがひっくり返ることをより確実に防止することができる。
【００１８】
また、牽引紐後側固定部１１は側面部５に設けてあるから、牽引紐１２を斜め上方に引っ張ってもそり１の前部分は持ち上げられにくく、そり１がひっくり返ることを防止することができる。ただし、該牽引紐後側固定部１１を側面部５の後方部位５Ａに設けるとそりの滑走中の左右への方向転換が行いにくくなるから、ひっくり返り防止効果及び方向転換のしやすさを考慮して側面部５の略中央に設けるのが最適であると考えられる。なお、上述の諸効果は、そりに乗せるのが子供Ａではなく、荷物などである場合であっても同様である。
【００１９】
さらに、そり１には牽引紐前側固定部８と牽引紐後側固定部１１が設けてあるから、図８に示すように、牽引紐１２の両端をそれぞれ牽引紐前側固定部８、８に上から通し、該牽引紐前側固定部８、８の下から出た該牽引紐１２の両端を牽引紐後側固定部１１、１１に外側から夫々通して端を結んで団子状にし、内側に引っ掛けてそり１を牽引することができる。牽引紐１２をこのように固定してそり１を牽引しても、ある程度そり１の前部分が持ち上げられにくくなり、そり１がひっくり返ることを防止することができる。
【図面の簡単な説明】
【００２０】
【図１】そりの前側外観斜視図である。
【図２】そりの後側外観斜視図である。
【図３】そりの底面図である。
【図４】そりの側面図である。
【図５】そりに子供を乗せて大人が引っ張る状態を示す側面図である。
【図６】実施の形態の変形例に係る、そりの前側外観斜視図である。
【図７】実施の形態の変形例に係る、そりの後側外観斜視図である。
【図８】実施の形態の第２の変形例に係る、そりの前側外観斜視図である。
【符号の説明】
【００２１】
１    そり
２    底部
２Ｄ  滑走面
３    前面部
４    後面部
５    側面部
５Ａ  前方部位
５Ｂ  後方部位
８    牽引紐前側固定部
９    誘導溝
１０  転倒防止部
１１  牽引紐後側固定部
【図１】
0003132579.tif 000003
【図２】
0003132579.tif 000004
【図３】
0003132579.tif 000005
【図４】
0003132579.tif 000006
【図５】
0003132579.tif 000007
【図６】
0003132579.tif 000008
【図７】
0003132579.tif 000009
【図８】
0003132579.tif 000010